(57)【要約】【課題】  接合具を用いて杭と上部構造物を接合するに際し、杭の施工精度による杭心のずれを容易に吸収するとともに、上部構造物の固定作業性を向上すること。【解決手段】  杭１０の上端部に、杭頭キャップ２０が被せられて固定され、杭頭キャップ２０の上面に、縦断面エ型の接合具３０を横置きし、該接合具３０の２枚の平行な板３１、３２の一方が該杭頭キャップ２０の上面に固定され、接合具３０の２枚の平行な板３１、３２の他方の上面に上部構造物Ａが固定されるもの。【選択図】  図３
2008057139.tif 000002
【特許請求の範囲】
【請求項１】
杭の上端部に、杭頭キャップが被せられて固定され、杭頭キャップの上面に、縦断面エ型の接合具を横置きし、該接合具の２枚の平行な板の一方が該杭頭キャップの上面に固定され、接合具の２枚の平行な板の他方の上面に上部構造物が固定されていることを特徴とする杭と上部構造物の接合構造。
【請求項２】
上記２枚の平行な板であるフランジと、残る１枚の板であるウエブとが、スチフナで補強されていることを特徴とする請求項１記載の杭と上部構造物の接合構造。
【請求項３】
上記スチフナは、上部構造物に柱がある場合、その柱の輪郭部直下に設けられていることを特徴とする請求項２記載の杭と上部構造物の接合構造。
【発明の詳細な説明】
【技術分野】
【０００１】
本発明は杭と上部構造物の接合構造に関する。
【背景技術】
【０００２】
従来の杭と上部構造物の接合構造として、特許文献１に記載の如く、杭の上端部に、取付台を溶接し、この取付台の上に上部構造物としての建物ユニットの柱を載置し、柱に取付けられたジョイントピースと、ジョイントピースに重ねられた床梁とを、取付台にボルト止めするものがある。
【０００３】
杭に対する上部構造物の固定をコンクリート等によらずボルトと取付台を用いて行なうことで、コンクリートの固化を待つ必要がなくて工事期間を短縮できるし、不等沈下現象が生じても、ボルトを取外して容易に不陸修正をできる等のメリットがある。
【特許文献１】特開平11-93273
【発明の開示】
【発明が解決しようとする課題】
【０００４】
特許文献１の杭と上部構造物の接合構造において、取付台は杭の上端部に直に溶接されるものであり、取付台が杭の施工精度による杭心のずれを吸収して柱の上端部に設けられることの考慮がない。
【０００５】
また、特許文献１の杭と上部構造物の接合構造において、取付台は、上板と下板の間に補強板を設けて高強度化されているものの、上板と下板の両端外縁と中央部のそれぞれに補強板を設けられて箱状化されている。このため、取付台の両端部が補強板により塞がれ、その上板の裏側に手を入れにくく、上部構造物のボルト止め作業性が悪い。
【０００６】
本発明の課題は、接合具を用いて杭と上部構造物を接合するに際し、杭の施工精度による杭心のずれを容易に吸収するとともに、上部構造物の固定作業性を向上することにある。
【課題を解決するための手段】
【０００７】
請求項１の発明は、杭の上端部に、杭頭キャップが被せられて固定され、杭頭キャップの上面に、縦断面エ型の接合具を横置きし、該接合具の２枚の平行な板の一方が該杭頭キャップの上面に固定され、接合具の２枚の平行な板の他方の上面に上部構造物が固定されているようにしたものである。
【０００８】
請求項２の発明は、請求項１の発明において更に、上記２枚の平行な板であるフランジと、残る１枚の板であるウエブとが、スチフナで補強されているようにしたものである。
【０００９】
請求項３の発明は、請求項２の発明において更に、上記スチフナは、上部構造物に柱がある場合、その柱の輪郭部直下に設けられているようにしたものである。
【発明の効果】
【００１０】
（請求項１）
(a)杭の上端部と、上部構造物が固定される接合具の間に、杭頭キャップを介在させた。従って、杭の上端部に被せて固定した杭頭キャップの上面に、接合具の下板を現地にて固定するときに、接合具は杭頭キャップに対し杭の施工精度による杭心の水平方向ずれを吸収して固定できる。上部構造物は、接合具の上板に当初から定めてある固定位置にそのまま固定するだけで、杭心の水平方向ずれに関係なく、当初の据付予定位置に配置されるものとなる。
【００１１】
(b)接合具は縦断面エ型をなすことにより、高強度化されながら、両端部が塞がれることなく外方に開放される。従って、接合具の下板を杭頭キャップに固定し、又は接合具の上板に上部構造物を固定するに際し、接合具の上板と下板の間に手を入れ易く、ボルト止め等の固定作業性を向上できる。また、接合具の素材として一般品であるＨ型鋼を利用でき、コスト低減できる。
【００１２】
(請求項２)
(c)接合具が、２枚の平行な板であるフランジと、残る１枚の板であるウエブとが、スチフナで補強されることにより、接合具を一層高強度化できる。
【００１３】
（請求項３）
(d)接合具のスチフナが、上部構造物に柱がある場合、その柱の輪郭部直下に設けられることにより、上部構造物の荷重を接合具のスチフナを直に通して杭に導き、上部構造物の支持強度を向上できる。
【発明を実施するための最良の形態】
【００１４】
図１は杭と上部構造物の接合手順の前半工程を示す模式図、図２は杭と上部構造物の接合手順の後半工程を模式図、図３は実施例１の杭と上部構造物の接合構造を示す正面図、図４は図３の側面図、図５の（Ａ）は図３の上面図、（Ｂ）は図３の下面図、図６は実施例２の杭と上部構造物の接合構造を示す正面図、図７は図６の側面図、図８の（Ａ）は図６の上面図、（Ｂ）は図６の下面図、図９は実施例３の杭と上部構造物の接合構造を示す正面図、図１０は図９の側面図、図１１の（Ａ）は図９の上面図、（Ｂ）は図９の下面図、図１２は実施例４の杭と上部構造物の接合構造を示す正面図、図１３は図１２の側面図、図１４の（Ａ）は図１２の上面図、（Ｂ）は図１２の下面図、図１５は実施例５の杭と上部構造物の接合構造を示す正面図、図１６は図１５の側面図、図１７の（Ａ）は図１５の上面図、（Ｂ）は図１５の下面図である。
【実施例】
【００１５】
（実施例１）（図１〜図５）
本発明が適用される建物ユニットＡは、図３〜図５に示す如く、四隅部の鋼製角パイプからなる柱１の下端と上端に溝形の鋼製ジョイントピース２が溶接により取付けられ、上下間のジョイントピース２の間に跨がり短い溝形の鋼製床梁３及び天井梁４（不図示）が溶接により取付けられるとともに、長い溝形の鋼製床梁５及び天井梁６（不図示）が溶接により取付けられ、柱１と梁３、４、５、６とがラーメン構造により接合された箱形の構造体を有している。この箱形構造体のほぼ平行な２本の長い天井梁６、６の間に複数本の木製小梁が架け渡され、ほぼ平行な２本の長い床梁５、５の間に鋼製角パイプからなる複数本の小梁が溝形取付片を介して架け渡されて建物ユニットＡの骨組が構成されている。
【００１６】
鋼管杭１０の上端部に、杭頭キャップ２０が被せられて固定され、杭頭キャップ２０の上面に、Ｈ型鋼を横置きしてなる縦断面エ型の接合具３０を載置し、接合具３０の上下２枚の平行な板３１、３２の一方の下板３２が杭頭キャップ２０の上面に４本のボルト４２より固定され、接合具３０の上板３２の上面に上部構造物としての建物ユニットＡが１本のボルト５０により固定される。
【００１７】
杭頭キャップ２０は、短円筒管２１の上端面に四角蓋板２２を溶接して構成され、杭１０の上端外周に短円筒管２１の内周を嵌合して溶接される。蓋板２２には予めボルト４０のための４個のボルト孔が穿設されている。
【００１８】
接合具３０は、２枚の平行な板である上下のフランジ３１、３２と、残る１枚の板であるウエブ３３を有するＨ形鋼である。上フランジ３１には予めボルト５０のための１個のボルト孔５０Ａが穿設されている。下フランジ３２のボルト４０のためのボルト孔４０Ａは現地施工される。接合具３０は、ウエブ３３の両側に設けられて該ウエブ３３に直交するスチフナ３４により補強されている。スチフナ３４は、上フランジ３１と下フランジ３２の一方又は両方と、ウエブ３３に突合せ溶接される。接合具３０の少なくとも一部のスチフナ３４は、建物ユニットＡの柱１の輪郭部直下、換言すれば柱１の板厚直下に対応する位置に設けられている。
【００１９】
実施例１の杭１０、杭頭キャップ２０、接合具３０は、建物ユニットＡの１本の柱１の下方に設けられるものであり、接合具３０は上下のフランジ３１、３２を正方形にし、上フランジ３１に１個のボルト孔５０Ａが穿設されて構成されている。
【００２０】
従って、建物ユニットＡの接合手順は以下の通りになる（図１、図２）。
(1)杭１０の打設と杭頭処理（図１（Ａ））
杭１０を地面１００に打設し、杭頭を地面１００から所定高さ（ｈ）に揃える。
【００２１】
(2)杭位置測定（図１（Ｂ））
杭１０の杭心の水平方向位置（ｘ）、傾き（θ）を測定する。
【００２２】
(3)杭頭キャップ２０の取付け（図１（Ｃ））
杭１０の杭頭に杭頭キャップ２０を被せて溶接する。杭頭キャップ２０の蓋板２２はボルト４０のための４個のボルト孔を予め穿設されている。
【００２３】
(4)接合具３０の加工（図２（Ａ））
接合具３０の下フランジ３２に、杭頭キャップ２０の蓋板２２と接合するボルト４０のための４個のボルト孔４０Ａを現地施工にて穿設する。尚、接合具３０の上フランジ３１はボルト５０のための１個のボルト孔５０Ａを予め穿設されている。
【００２４】
図５（Ｂ）は杭１０と杭頭キャップ２０と接合具３０を地面の側から上向きにみた下面図であるが、実線の杭１０と杭頭キャップ２０は正規位置、破線の杭１０と杭頭キャップ２０は杭心に水平方向ずれを生じたときの位置であり、接合具３０の下フランジ３２に設けられるボルト孔４０Ａは杭心の水平方向ずれに応じて正規位置からずれた杭頭キャップ２０の蓋板２２に予め穿設されているボルト孔に合致する位置に穿設される。これにより、建物ユニットＡの所定の据付位置に対応する正規位置に接合具３０を配置しながら、杭１０及び杭頭キャップ２０に対する接合具３０のボルト止め位置を調整することにより、杭１０の施工誤差による杭心の水平方向ずれを吸収する。
【００２５】
(5)接合具３０の取付け（図２（Ｂ））
杭頭キャップ２０の蓋板２２に、接合具３０の下フランジ３２を載せてボルト４０により固定する。杭１０の上端部の高さにばらつきがあるときには、杭頭キャップ２０の蓋板２２の上に高さ調整用ライナを介し、このライナの上に接合具３０の下フランジ３２を載せることにより、杭１０の上端部の高さのばらつきを吸収する。
【００２６】
(6)建物ユニットＡの設置（図２（Ｃ））
接合具３０の上フランジ３１に建物ユニットＡの柱１を載置し、柱１に取付けられているジョイントピース２の下片、ジョイントピース２の下片に重ねられている床梁３（又は５）の下片を、ボルト５０により上フランジ３１に固定する。
【００２７】
杭１０に対する建物ユニットＡの固定をコンクリートによらず杭頭キャップ２０、接合具３０、ボルト４０、５０を用いて行なうことで、コンクリートの固化を待つ必要がなくて工事期間を短縮できるし、不等沈下現象が生じても、ボルト５０を取外して容易に不陸修正できる。
【００２８】
本実施例によれば以下の作用効果を奏する。
(a)杭１０の上端部と、建物ユニットＡが固定される接合具３０の間に、杭頭キャップ２０を介在させた。従って、杭１０の上端部に被せて固定した杭頭キャップ２０の上面に、接合具３０の下板３２を現地にて固定するときに、接合具３０は杭頭キャップ２０に対し杭１０の施工精度による杭心の水平方向ずれを吸収して固定できる。建物ユニットＡは、接合具３０の上板３１に当初から定めてある固定位置にそのまま固定するだけで、杭心の水平方向ずれに関係なく、当初の据付予定位置に配置されるものとなる。
【００２９】
(b)接合具３０は縦断面エ型をなすことにより、高強度化されながら、両端部が塞がれることなく外方に開放される。従って、接合具３０の下板３２を杭頭キャップ２０に固定し、又は接合具３０の上板３１に建物ユニットＡを固定するに際し、接合具３０の上板３１と下板３２の間に手を入れ易く、ボルト止め等の固定作業性を向上できる。また、接合具３０の素材として一般品であるＨ型鋼を利用でき、コスト低減できる。
【００３０】
(c)接合具３０が、２枚の平行な板であるフランジ３１、３２と、残る１枚の板であるウエブ３３とが、スチフナ３４で補強されることにより、接合具３０を一層高強度化できる。
【００３１】
(d)接合具３０のスチフナ３４が、建物ユニットＡに柱がある場合、その柱の輪郭部直下に設けられることにより、建物ユニットＡの荷重を接合具３０のスチフナ３４を直に通して杭１０に導き、建物ユニットＡの支持強度を向上できる。
【００３２】
（実施例２）（図６〜図８）
実施例２の杭１０、杭頭キャップ２０、接合具３０は、実施例１と実質的に同様であるが、建物ユニットＡの妻方向に隣接する２個の建物ユニットＡの隣接する２本の柱１、１の下方に設けられるものであり、接合具３０は上下のフランジ３１、３２を実施例１のフランジ３１、３２と同じ正方形にし、上フランジ３１に２個のボルト孔５０Ａが穿設されて構成されている。
【００３３】
図８（Ｂ）は杭１０と杭頭キャップ２０と接合具３０を地面の側から上向きにみた下面図であるが、実線の杭１０と杭頭キャップ２０は正規位置、破線の杭１０と杭頭キャップ２０は杭心に水平方向ずれを生じたときの位置であり、接合具３０の下フランジ３２に設けられるボルト孔４０Ａは杭心の水平方向ずれに応じて正規位置からずれた杭頭キャップ２０の蓋板２２に予め穿設されているボルト孔に合致する位置に穿設される。これにより、建物ユニットＡの所定の据付位置に対応する正規位置に接合具３０を配置しながら、杭１０及び杭頭キャップ２０に対する接合具３０のボルト止め位置を調整することにより、杭１０の施工精度による杭心の水平方向ずれを吸収する。
【００３４】
実施例２にあっても、実施例１におけると同様の作用効果を奏する。
【００３５】
（実施例３）（図９〜図１１）
実施例３の杭１０、杭頭キャップ２０、接合具３０は、実施例１と実質的に同様であるが、建物ユニットＡの桁方向に隣接する２個の建物ユニットＡの隣接する２本の柱１、１の下方に設けられるものであり、接合具３０は上下のフランジ３１、３２を桁方向に長い長方形にし、上フランジ３１に２個のボルト孔５０Ａが穿設されて構成されている。
【００３６】
図１１（Ｂ）は杭１０と杭頭キャップ２０と接合具３０を地面の側から上向きにみた下面図であるが、実線の杭１０と杭頭キャップ２０は正規位置、破線の杭１０と杭頭キャップ２０は杭心に水平方向ずれを生じたときの位置であり、接合具３０の下フランジ３２に設けられるボルト孔４０Ａは杭心の水平方向ずれに応じて正規位置からずれた杭頭キャップ２０の蓋板２２に予め穿設されているボルト孔に合致する位置に穿設される。これにより、建物ユニットＡの所定の据付位置に対応する正規位置に接合具３０を配置しながら、杭１０及び杭頭キャップ２０に対する接合具３０のボルト止め位置を調整することにより、杭１０の施工精度による杭心の水平方向ずれを吸収する。
【００３７】
実施例３にあっても、実施例１におけると同様の作用効果を奏する。
【００３８】
（実施例４）（図１２〜図１４）
実施例４の杭１０、杭頭キャップ２０、接合具３０は、実施例１と実質的に同様であるが、建物ユニットＡの桁方向及び妻方向に隣接する３個の建物ユニットＡの隣接する３本の柱１、１、１の下方に設けられるものであり、接合具３０は上下のフランジ３１、３２を桁方向と妻方向に長いＬ形状にし、上フランジ３１に３個のボルト孔５０Ａが穿設されて構成されている。
【００３９】
図１４（Ｂ）は杭１０と杭頭キャップ２０と接合具３０を地面の側から上向きにみた下面図であるが、実線の杭１０と杭頭キャップ２０は正規位置、破線の杭１０と杭頭キャップ２０は杭心に水平方向ずれを生じたときの位置であり、接合具３０の下フランジ３２に設けられるボルト孔４０Ａは杭心の水平方向ずれに応じて正規位置からずれた杭頭キャップ２０の蓋板２２に予め穿設されているボルト孔に合致する位置に穿設される。これにより、建物ユニットＡの所定の据付位置に対応する正規位置に接合具３０を配置しながら、杭１０及び杭頭キャップ２０に対する接合具３０のボルト止め位置を調整することにより、杭１０の施工精度による杭心の水平方向ずれを吸収する。
【００４０】
実施例４にあっても、実施例１におけると同様の作用効果を奏する。
【００４１】
（実施例５）（図１５〜図１７）
実施例５の杭１０、杭頭キャプ２０、接合具３０は、実施例１と実質的に同様であるが、建物ユニットＡの桁方向及び妻方向に隣接する４個の建物ユニットＡの隣接する４本の柱１、１、１、１の下方に設けられるものであり、接合具３０は上下のフランジ３１、３２を妻方向に長い長方形状にし、上フランジ３１に４個のボルト孔５０Ａが穿設されて構成されている。
【００４２】
図１７（Ｂ）は杭１０と杭頭キャップ２０と接合具３０を地面の側から上向きにみた下面図であるが、実線の杭１０と杭頭キャップ２０は正規位置、破線の杭１０と杭頭キャップ２０は杭心に水平方向ずれを生じたときの位置であり、接合具３０の下フランジ３２に設けられるボルト孔４０Ａは杭心の水平方向ずれに応じて正規位置からずれた杭頭キャップ２０の蓋板２２に予め穿設されているボルト孔に合致する位置に穿設される。これにより、建物ユニットＡの所定の据付位置に対応する正規位置に接合具３０を配置しながら、杭１０及び杭頭キャップ２０に対する接合具３０のボルト止め位置を調整することにより、杭１０の施工精度による杭心の水平方向ずれを吸収する。
【００４３】
実施例５にあっても、実施例１におけると同様の作用効果を奏する。
【００４４】
以上、本発明の実施例を図面により詳述したが、本発明の具体的な構成はこの実施例に限られるものではなく、本発明の要旨を逸脱しない範囲の設計の変更等があっても本発明に含まれる。
【図面の簡単な説明】
【００４５】
【図１】図１は杭と上部構造物の接合手順の前半工程を示す模式図である。
【図２】図２は杭と上部構造物の接合手順の後半工程を模式図である。
【図３】図３は実施例１の杭と上部構造物の接合構造を示す正面図である。
【図４】図４は図３の側面図である。
【図５】図５の（Ａ）は図３の上面図、（Ｂ）は図３の下面図である。
【図６】図６は実施例２の杭と上部構造物の接合構造を示す正面図である。
【図７】図７は図６の側面図である。
【図８】図８の（Ａ）は図６の上面図、（Ｂ）は図６の下面図である。
【図９】図９は実施例３の杭と上部構造物の接合構造を示す正面図である。
【図１０】図１０は図９の側面図である。
【図１１】図１１の（Ａ）は図９の上面図、（Ｂ）は図９の下面図である。
【図１２】図１２は実施例４の杭と上部構造物の接合構造を示す正面図である。
【図１３】図１３は図１２の側面図である。
【図１４】図１４の（Ａ）は図１２の上面図、（Ｂ）は図１２の下面図である。
【図１５】図１５は実施例５の杭と上部構造物の接合構造を示す正面図である。
【図１６】図１６は図１５の側面図である。
【図１７】図１７の（Ａ）は図１５の上面図、（Ｂ）は図１５の下面図である。
【符号の説明】
【００４６】
Ａ  建物ユニット（上部構造物）
１０  杭
２０  杭頭キャップ
３０  接合具
３１、３２  板（フランジ）
３３  ウエブ
３４  スチフナ
【図１】
2008057139.tif 000003
【図２】
2008057139.tif 000004
【図３】
2008057139.tif 000005
【図４】
2008057139.tif 000006
【図５】
2008057139.tif 000007
【図６】
2008057139.tif 000008
【図７】
2008057139.tif 000009
【図８】
2008057139.tif 000010
【図９】
2008057139.tif 000011
【図１０】
2008057139.tif 000012
【図１１】
2008057139.tif 000013
【図１２】
2008057139.tif 000014
【図１３】
2008057139.tif 000015
【図１４】
2008057139.tif 000016
【図１５】
2008057139.tif 000017
【図１６】
2008057139.tif 000018
【図１７】
2008057139.tif 000019